(57)【要約】【課題】金属製表面材の樋状部内へノズルより発泡性樹脂液を吐出する際に樋状部外に飛散する発泡性合成樹脂液のノズル近辺装置等への付着を完全に防止して除去するための新規な装置を提供する。【解決手段】断面略樋状に形成され樋状部８ａの開口部を上方にして連続的に送り出されてくる金属製表面材８を挟んで幅方向に対峙する位置に、樋状部８ａ外へ飛散する発泡性合成樹脂液７ａを受け止める可撓性を有する帯状のシートより成りコイル状を成すプロテクタ１が装着されるプロテクタ装着手段２と、プロテクタ１をその幅方向が金属製表面材８の送り方向と略平行になるように且つ金属製表面材８の側方から樋状部８ａの開口部の側部上方近傍を通過させるように案内せしめるプロテクタ案内手段３と、プロテクタ１を長手方向に移行させるプロテクタ移行手段４とから成るプロテクタ送り装置５を一対設けて飛散樹脂除去装置を構成する。【選択図】　　　　図１
2004066480.tif 000002
【特許請求の範囲】
【請求項１】
断面略樋状に形成され樋状部（８ａ）の開口部を上方にして連続的に送り出されてくる金属製表面材（８）の該樋状部（８ａ）内へノズル（７）より発泡性合成樹脂液（７ａ）を吐出させる際に該金属製表面材（８）の樋状部（８ａ）外へ飛散する発泡性合成樹脂液（７ａ）を受け止める可撓性を有する帯状のシートより成りコイル状を成すプロテクタ（１）が装着されるプロテクタ装着手段（２）と、該プロテクタ装着手段（２）に装着されたプロテクタ（１）をその幅方向が該金属製表面材（８）の送り方向と略平行になるように且つ該金属製表面材（８）の側方から樋状部（８ａ）の開口部の側部上方近傍を通過させるように案内せしめるプロテクタ案内手段（３）と、該プロテクタ案内手段（３）により案内せしめられたプロテクタ（１）を該プロテクタ（１）の長手方向に移行させるプロテクタ移行手段（４）とから成るプロテクタ送り装置（５）が、該金属製表面材（８）を挟んで幅方向に対峙する位置にそれぞれ一対設けられていることを特徴とする飛散樹脂除去装置。
【請求項２】
プロテクタ装着手段（２）に、プロテクタ（１）の巻き出しを制御するブレーキ手段が設けられている請求項１に記載の飛散樹脂除去装置。
【請求項３】
プロテクタ移行手段（４）が、プロテクタ（１）を巻き取るプロテクタ巻取り手段を備えている請求項１又は２に記載の飛散樹脂除去装置。
【請求項４】
プロテクタ移行手段（４）が、プロテクタ（１）の長手方向への移行を止める係止チャック（４ａ）と、エアシリンダ（４ｂ）によって駆動されプロテクタ（１）を長手方向へ移行させる移行チャック（４ｃ）と、該係止チャック（４ａ）と該エアシリンダ（４ｂ）と該移行チャック（４ｃ）を制御する制御手段とから成る請求項１又は２に記載の飛散樹脂除去装置。
【請求項５】
プロテクタ移行手段（４）に、更に移行されたプロテクタ（１）を回収するプロテクタ回収手段（４ｄ）が設けられている請求項４に記載の飛散樹脂除去装置。
【請求項６】
プロテクタ案内手段（３）における金属製表面材（８）の側方から樋状部（８ａ）の開口部の側部上方近傍を通過させるようにプロテクタ（１）を案内せしめるディフレクタロール（３ａ）が、交換可能な一対の先端ブロック（３ｂ）間に装着されている請求項１から５までの何れか１項に記載の飛散樹脂除去装置。
【請求項７】
両先端ブロック（３ｂ，３ｂ）に、ディフレクタロール（３ａ）の装着高さを調整するための長孔が穿設されている請求項６に記載の飛散樹脂除去装置。
【請求項８】
プロテクタ案内手段（３）における金属製表面材（８）の側方から樋状部（８ａ）の開口部の側部上方近傍を通過させるようにプロテクタ（１）を案内せしめるディフレクタロール（３ａ）が、プロテクタ（１）を先端ブロック（３ｂ）の下端よりも下方に案内せしめるように下方にプロテクタ（１）の幅よりも長い幅の段部が形成されているディフレクタロールである請求項６又は７に記載の飛散樹脂除去装置。
【請求項９】
プロテクタ送り装置（５）が、金属製表面材（８）の送り方向へ移動自在になるように該金属製表面材（８）の送り方向と平行に設置されたレール（５ａ）上に設けられている請求項１から８までの何れか１項に記載の飛散樹脂除去装置。
【請求項１０】
プロテクタ（１）が、ポリオレフィン樹脂フィルムより成る請求項１から９までの何れか１項に記載の飛散樹脂除去装置。
【請求項１１】
プロテクタ（１）が、少なくとも飛散する発泡性合成樹脂液（７ａ）を受け止める側の面に剥離剤が塗布されている素材より成る請求項１から９までの何れか１項に記載の飛散樹脂除去装置。
【請求項１２】
プロテクタ案内手段（３）の途中にプロテクタ（１）に受け止められた発泡性合成樹脂液（７ａ）を剥ぎ落とすためのドクターナイフ（６）が設けられている請求項１０又は１１に記載の飛散樹脂除去装置。
【発明の詳細な説明】
【０００１】
【産業上の利用分野】
本発明は、断面略樋状に形成され樋状部の開口部を上方にして連続的に送り出されてくる金属製表面材の樋状部内と裏面材との間に発泡性合成樹脂液を吐出して発泡性合成樹脂が発泡充填されている建築用複合板の製造工程において、金属製表面材の樋状部内へノズルより発泡性合成樹脂液を吐出する際に、金属製表面材の樋状部外に飛散する発泡性合成樹脂液がノズル近傍の装置や金属製表面材の係合部等に付着するのを完全に防止すると共に金属製表面材の樋状部外に飛散した発泡性合成樹脂液を除去するための新規な飛散樹脂除去装置に関するものである。
【０００２】
【従来の技術】
建築物や構造物の外壁や内壁を構成するための建築用外装材として、断面樋状に形成された金属製表面材の樋状部内と裏面材との間に発泡性合成樹脂が充填されている建築用複合板が広く使用されている。
【０００３】
このような建築用複合板は、通常表面材となる金属帯の幅方向両側縁部を連続的に所定形状に折曲形成して断面略樋状で且つ施工時に隣接する建築用複合板同士を係合するための係合部を有する表面材に形成し、この金属製表面材の樋状部内へノズルより発泡性合成樹脂液を吐出した後、この樋状部を裏面材で閉塞せしめた状態でキュア炉内に送り込んで吐出した発泡性合成樹脂液を発泡・硬化させる方法により製造されている。
【０００４】
そして、金属製表面材の樋状部内へノズルより発泡性合成樹脂液を吐出する方法としては、金属製表面材の幅方向に適宜な間隔を隔てて複数のノズルを配置して連続的に送り出されてくる金属製表面材の樋状部内に長手方向と平行な複数の線状に発泡性合成樹脂液を吐出した後に金属製表面材の樋状部内に吐出された発泡性合成樹脂液が金属製表面材の樋状部内全面に行き亘るように樋状部内の発泡性合成樹脂液にガスを吹き付けたりする方法があった。
【０００５】
しかしながら、表面材の幅方向に適宜な間隔を隔てて複数のノズルを配置して連続的に送り出されてくる表面材の樋状部内に長手方向と平行な複数の線状に発泡性合成樹脂液を吐出した場合に、金属製表面材の樋状部を裏面材で閉塞して発泡性合成樹脂液を発泡・硬化させると、発泡性合成樹脂液を均一な状態に発泡させて充填することができず発泡後において発泡性合成樹脂の密度（発泡倍率）が不均一となり、更には発泡性合成樹脂が充填されていない未充填部（ボイド）が発生してしまうことがあった。
【０００６】
また、金属製表面材の幅方向に適宜な間隔を隔てて複数のノズルを配置して連続的に送り出されてくる金属製表面材の樋状部内に長手方向と平行な複数の線状に発泡性合成樹脂液を吐出した後に金属製表面材の樋状部内に吐出された発泡性合成樹脂液が金属製表面材の樋状部内全面に行き亘るように樋状部内の発泡性合成樹脂液にガスを吹き付けても、発泡性合成樹脂液は粘度が比較的高く流動性が低いので発泡性合成樹脂液の厚さに差異が生じて樋状部を裏面材で閉塞して発泡性合成樹脂液を発泡・硬化させると、発泡性合成樹脂の密度（発泡倍率）が不均一となり、更には裏面材の裏側に発泡性合成樹脂が充填されていない未充填部（ボイド）が発生してしまうことがあった。
【０００７】
そこで、本出願人は特開平１１−２６８０５２号公報において開示されているように、発泡性合成樹脂液を一点から表面材の移送方向に広角状に広げて広角カーテン状に吐出するノズルを金属製表面材の送り出し方向に対して直角方向に往復移動させながら発泡性合成樹脂液を金属製表面材の樋状部内に吐出する方法を開発した。
【０００８】
このような方法で金属製表面材の樋状部内へノズルより発泡性合成樹脂液を吐出することで、発泡性合成樹脂液を金属製表面材の樋状部に全面に亘って確実に且つ均一な厚さに吐出することができ、その結果発泡性合成樹脂の密度が均一でボイドを生じることが無く裏面材がフラットな品質の優れた建築用複合板を製造することができるようになった。
【０００９】
しかしながら、金属製表面材の樋状部内へノズルより発泡性合成樹脂液を吐出する際に、ノズルが発泡性合成樹脂液を一点から表面材の移送方向に広角状に広げて広角カーテン状に吐出しながら金属製表面材の送り出し方向に対して直角方向に往復移動するので、ノズルより吐出される発泡性合成樹脂液の一部が金属製表面材の樋状部外へも飛散し、製造ライン上の発泡性合成樹脂液を吐出する装置や金属製表面材を連続的に送り出す搬送装置等のノズル近傍の装置や金属製表面材の係合部等に付着して発泡しまい、ノズル近傍の装置に悪影響を及ぼしたり、正常な製品の製造を妨げたりするという好ましからぬ状況に陥ってしまうという問題があった。
【００１０】
そこで、金属製表面材の樋状部内へノズルより発泡性合成樹脂液を吐出する際に発泡性合成樹脂液の一部が金属製表面材の樋状部外へ飛散してノズル近傍の装置や金属製表面材の係合部等に付着するのを防止するために、発泡性合成樹脂液が飛散する場所に飛散した発泡性合成樹脂液を受け止めるための段ボール紙や薄鋼板等を設置したりしていたが、この段ボール紙や薄鋼板等には次から次へと飛散してくる発泡性合成樹脂液が付着しこの付着した発泡性合成樹脂液は次々と発泡して膨張するので、この段ボール紙や薄鋼板等は付着発泡した合成樹脂で直ぐにその表面が厚く覆われてしまってノズル近傍の装置と干渉して正常な製品の製造の妨げとなってしまうので、この段ボール紙や薄鋼板等は人手によって頻繁に交換しなければならないという問題と、合成樹脂が付着発泡した段ボール紙や薄鋼板が嵩張ったものであるので廃棄処分が面倒であるという問題があった。
【００１１】
そして、この飛散した発泡性合成樹脂液を受け止めるための段ボール紙や薄鋼板等は、作業員等が目を離すと直ぐにその表面が厚く覆われてしまうので、結局この段ボール紙や薄鋼板等の状況を常時監視すると共に段ボール紙や薄鋼板等を交換するための作業者を常駐させておく必要があるという問題もあった。
【００１２】
また、発泡性合成樹脂液が飛散する場所に段ボール紙や薄鋼板等を設置したとしても、設置場所のスペースの問題が存在すると共に、段ボール紙や薄鋼板を送り出されてくる金属製表面材や金属製表面材を連続的に送り出す搬送装置に接触しないように設置すると金属製表面材の係合部や金属製表面材を連続的に送り出す搬送装置等の可動物へ飛散してくる発泡性合成樹脂液を総て完全にこの段ボール紙や薄鋼板等で受け止めることが不可能であるため、この設置されている段ボール紙や薄鋼板等の隙間をくぐり抜けて飛散してくる発泡性合成樹脂液によってノズルの近辺にある装置に悪影響を及ぼしたり、正常な製品の製造を妨げたりする現象が発生し、発泡性合成樹脂液が飛散する場所に段ボール紙や薄鋼板等を設置して飛散してくる発泡性合成樹脂液を受け止めるという方法では不完全であるという問題があった。
【００１３】
【発明が解決しようとする課題】
本発明は、前記従来技術の問題点を解消し、断面略樋状に形成され樋状部の開口部を上方にして連続的に送り出されてくる金属製表面材の樋状部内と裏面材との間に発泡性合成樹脂液を吐出して発泡性合成樹脂が発泡充填されている建築用複合板の製造工程において、金属製表面材の樋状部内へノズルより発泡性合成樹脂液を吐出する際に、金属製表面材の樋状部外に飛散する発泡性合成樹脂液がノズル近傍の装置や金属製表面材の係合部等に付着するのを完全に防止すると共に金属製表面材の樋状部外に飛散した発泡性合成樹脂液を除去するための新規な飛散樹脂除去装置を提供することを課題とする。
【００１４】
【課題を解決するための手段】
本発明者らは前記課題を解決すべく鋭意研究の結果、断面略樋状に形成され樋状部の開口部を上方にして連続的に送り出されてくる金属製表面材の樋状部内へノズルより発泡性合成樹脂液を吐出させる際に金属製表面材の樋状部外へ飛散してくる発泡性合成樹脂液を受け止める手段を可撓性を有する帯状のシートに代え、そしてこの可撓性を有する帯状のシートをコイル状にしたプロテクタをプロテクタ装着手段に装着させた後、プロテクタ案内手段によりプロテクタをその幅方向が金属製表面材の送り方向と略平行になるように且つ金属製表面材の側方から樋状部の開口部の側部上方近傍を通過させるように案内せしめれば、金属製表面材の側方から樋状部の開口部の側部上方近傍で金属製表面材の樋状部外に飛散した発泡性合成樹脂液はこのプロテクタに殆ど受け止られるためノズル近傍の装置や金属製表面材の係合部等に発泡性合成樹脂液が付着するのを完全に防止でき、またこのプロテクタはその長手方向に移行していくので、受け止められた発泡性合成樹脂液はプロテクタと共に移行して除去されそして発泡性合成樹脂液が飛散してくる部位には発泡性合成樹脂液が受け止められていないプロテクタが常に移行してくることによってプロテクタの表面が付着した合成樹脂で厚く覆われてしまうことがないと共に人手に頼ることなく自動的に飛散した発泡性合成樹脂液を除去することができることを究明して本発明を完成したのである。
【００１５】
即ち本発明は、断面略樋状に形成され樋状部の開口部を上方にして連続的に送り出されてくる金属製表面材の該樋状部内へノズルより発泡性合成樹脂液を吐出させる際に該金属製表面材の樋状部外へ飛散する発泡性合成樹脂液を受け止める可撓性を有する帯状のシートより成りコイル状を成すプロテクタが装着されるプロテクタ装着手段と、該プロテクタ装着手段に装着されたプロテクタをその幅方向が該金属製表面材の送り方向と略平行になるように且つ該金属製表面材の側方から樋状部の開口部の側部上方近傍を通過させるように案内せしめるプロテクタ案内手段と、該プロテクタ案内手段により案内せしめられたプロテクタを該プロテクタの長手方向に移行させるプロテクタ移行手段とから成るプロテクタ送り装置が、該金属製表面材を挟んで幅方向に対峙する位置にそれぞれ一対設けられていることを特徴とする飛散樹脂除去装置である。
【００１６】
そして、プロテクタ装着手段にプロテクタの巻き出しを制御するブレーキ手段が設けられていれば、プロテクタを撓ますことなく長手方向へ移行させることができ、またプロテクタ移行手段がプロテクタを巻き取るプロテクタ巻取り手段を備えていれば、プロテクタ移行の動力源としてプロテクタ巻取り手段を使用して部品点数を減らして簡単な構造とすることができると共に発泡性合成樹脂液を受け止めたプロテクタをコイル状に巻回された状態で回収することができ、プロテクタ移行手段がプロテクタの長手方向への移行を止める係止チャックとエアシリンダによって駆動されプロテクタを長手方向へ移行させる移行チャックとこれら係止チャックとエアシリンダと移行チャックを制御する制御手段とから成っていれば、一定ピッチでプロテクタを長手方向へ移行させることができ、更にこの一定ピッチでプロテクタを長手方向へ移行させるプロテクタ移行手段に移行されたプロテクタを回収するプロテクタ回収手段が設けられていれば、移行されたプロテクタをコイル状に巻回された状態で回収することできて好ましいことも究明したのである。
【００１７】
また、プロテクタ案内手段における金属製表面材の側方から樋状部の開口部の側部上方近傍を通過させるようにプロテクタを案内せしめるディフレクタロールが交換可能な一対の先端ブロック間に装着されていれば、この先端ブロックを交換するだけで簡単に様々な幅や様々な係合部の形状の金属製表面材に対応させて確実にプロテクタを金属製表面材の側方から樋状部の開口部の側部上方近傍を通過させられるように案内することができ、この両先端ブロックにディフレクタロールの装着高さを調整するための長孔が穿設されていれば、金属製表面材の樋状部の厚さが変わった場合に容易に対応することができ、またプロテクタ案内手段における金属製表面材の側方から樋状部の開口部の側部上方近傍を通過させるようにプロテクタを案内せしめるディフレクタロールがプロテクタを先端ブロックの下端よりも下方に案内せしめるように下方にプロテクタの幅よりも長い幅の段部が形成されているディフレクタロールであれば、発泡性合成樹脂液が最も飛散してくる場所である金属製表面材の樋状部近傍へ先端ブロックを接近させることなくプロテクタを接近させることができるので先端ブロックや係止されるディフレクタ等に発泡性合成樹脂液が付着することによるトラブルを最小限にすることができるので好ましく、プロテクタ送り装置が金属製表面材の送り方向へ移動自在になるように金属製表面材の送り方向と平行に設置されたレール上に設けられていれば、金属製表面材の樋状部内へノズルより吐出された発泡性合成樹脂液が最も飛散する位置にプロテクタが位置するようにすることができて好ましいことも究明したのである。
【００１８】
更に、プロテクタがポリオレフィン樹脂フィルムより成るものであったり、少なくとも飛散する発泡性合成樹脂液を受け止める側の面に剥離剤が塗布されているプロテクタであったりすれば、受け止められた発泡性合成樹脂液をプロテクタから容易に離脱させることができるので受け止められた発泡性合成樹脂液と使用済みのプロテクタとをそれぞれ別々に再利用・再資源化したり、産業廃棄物として処理したりする際には容易に分別して回収することができ、特にこのようなプロテクタの場合にはプロテクタ案内手段の途中にプロテクタに受け止められた発泡性合成樹脂液を剥ぎ落とすためのドクターナイフが設けられていれば、人手に頼らず自動的に受け止められた発泡性合成樹脂液と使用済みのプロテクタとを分別して回収することができるので好ましいことも究明したのである。
【００１９】
【発明の実施の態様】
以下、図面により本発明に係る飛散樹脂除去装置について詳細に説明する。
図１は本発明に係る飛散樹脂除去装置の１の実施例の正断面説明図、図２は図１のＡ−Ａ線断面説明図、図３は図１の平面説明図、図４は本発明に係る飛散樹脂除去装置におけるプロテクタ案内手段における金属製表面材の側方から樋状部の開口部の側部上方近傍を通過させるようにプロテクタを案内せしめるディフレクタロールの他の実施例を示す説明図である。
【００２０】
図面中、１は断面略樋状に形成され樋状部８ａの開口部を上方にして連続的に送り出されてくる金属製表面材８の樋状部８ａ内へノズル７より発泡性合成樹脂液７ａを吐出させる際に金属製表面材８の樋状部８ａ外へ飛散する発泡性合成樹脂液７ａを受け止める可撓性を有する帯状のシートより成りコイル状を成すプロテクタであって、通常筒状の中芯等に巻回されてコイル状に形成されている。
【００２１】
このプロテクタ１を構成するシートとしては後述するプロテクタ移行手段４により移行される張力に耐え得る引張強度を有するプラスチックフィルム等の可撓性を有するものであれば何でもよいが、ポリオレフィン樹脂フィルムより成るものであったり、少なくとも飛散する発泡性合成樹脂液７ａを受け止める側の面に剥離剤が塗布されている紙等の素材より成るものであったりすれば、受け止められた発泡性合成樹脂液７ａをプロテクタ１から容易に離脱させることができるので、受け止められた発泡性合成樹脂液７ａと使用済みのプロテクタ１とをそれぞれ別々に再利用・再資源化したり、産業廃棄物として処理したりする際には容易に分別して回収することができて好ましいのである。
【００２２】
２はコイル状を成すプロテクタ１が装着されるプロテクタ装着手段であって、コイル状を成すプロテクタ１を保持すると共に後述するプロテクタ案内手段３へ供給するアンコイラの如き役目を果たすものである。そして、プロテクタ１が前記したように筒状の中芯等に巻回されてコイル状に形成されている場合には、その筒状の中芯に挿通された軸を支持する構造になっている。
【００２３】
そして、プロテクタ装着手段２に装着されたプロテクタ１は後述するプロテクタ案内手段３へ供給されるが、この際に後述するプロテクタ移行手段４によりプロテクタ１がその長手方向に移行された場合にプロテクタ装着手段２に装着されたコイル状のプロテクタ１の回転慣性力によってプロテクタ１がプロテクタ移行手段４により移行させる長さ以上に供給されるとプロテクタ１が撓んでしまうので、これを防止するためにプロテクタ装着手段２にプロテクタ１の巻き出しを制御するブレーキ手段が設けらいることが好ましい。このブレーキ手段としては、コイル状を成すプロテクタ１自体に適当な負荷をかけることにより過回転を防止するものが好ましい。
【００２４】
３はプロテクタ装着手段２に装着されたプロテクタ１をその幅方向が金属製表面材８の送り方向と略平行になるように且つ金属製表面材８の側方から樋状部８ａの開口部の側部上方近傍を通過させるように案内せしめるプロテクタ案内手段であって、金属製表面材８の樋状部８ａ内へノズル７より吐出された発泡性合成樹脂液７ａの一部であって金属製表面材８の樋状部８ａ外に飛散した発泡性合成樹脂液７ａをプロテクタ１で受け止めて金属製表面材８の樋状部８ａ外へ飛散しないようにプロテクタ１を案内する役目を果たすものである。
【００２５】
このプロテクタ案内手段３は、プロテクタ装着手段２に装着されたプロテクタ１をその移行方向を変える複数のディフレクタロール３ａによって構成されているが、このディフレクタロール３ａは回転自在に装着されている場合と、回転しないように固定されている場合とのいずれの態様であってもよい。
【００２６】
そして、図面に示す如くプロテクタ案内手段３が、プロテクタ装着手段２に装着されたプロテクタ１をその幅方向が金属製表面材８の送り方向と略平行になるように案内せしめるディフレクタロール３ａの内、プロテクタ１を金属製表面材８の側方から樋状部８ａの開口部の側部上方近傍を通過するように案内せしめるディフレクタロール３ａが交換可能な一対の先端ブロック３ｂ間に装着されている態様の場合には、この先端ブロック３ｂを交換するだけで簡単に様々な幅や樋状部８ａの厚さや係合部の形状の金属製表面材８に対応させることができて好ましく、また図４に示す如くディフレクタロール３ａがプロテクタ１を先端ブロック３ｂの下端よりも下方に案内せしめるように下方にプロテクタ１の幅よりも長い幅の段部が形成されているディフレクタロールであれば、発泡性合成樹脂液７ａが最も飛散してくる場所である金属製表面材８の樋状部８ａ近傍へ先端ブロック３ｂを接近させることなくプロテクタ１を接近させることができるので、先端ブロック３ｂやノズル７近傍の装置や金属製表面材８の係合部等に発泡性合成樹脂液７ａが付着することによるトラブルを最小限にすることができるので好ましい。また図示しないが、ディフレクタロール３ａの高さを調整するための長孔が両先端ブロック３ｂ，３ｂに穿設されている態様の場合には、簡単な調整で様々な金属製表面材８の樋状部８ａの厚さに対応することができる。
【００２７】
４はプロテクタ案内手段３により案内せしめられたプロテクタ１をプロテクタ１の長手方向に移行させるプロテクタ移行手段であって、発泡性合成樹脂液７ａが受け止められていないプロテクタ１を発泡性合成樹脂液７ａが金属製表面材８の樋状部８ａ外へ飛散する位置へ移行させると共に既に発泡性合成樹脂液７ａを受け止めたプロテクタ１をプロテクタ１の回収位置に移行させる役目を果たすものである。
【００２８】
このプロテクタ移行手段４としては、プロテクタ１をその長手方向に移行させることができるように構成されているものであればどのような構成のものであってもよいが、図１、図２及び図３に示す如くプロテクタ１の長手方向への移行を止める係止チャック４ａと、エアシリンダ４ｂによって駆動されプロテクタ１を長手方向へ移行させる移行チャック４ｃと、これら係止チャック４ａとエアシリンダ４ｂと移行チャック４ｃを制御する制御手段とから成る態様の場合には、係止チャック４ａは装置本体に装着されており、移行チャック４ｃはエアシリンダ４ｂに装着さてれおり、プロテクタ１が移行されない状態では係止チャック４ａと移行チャック４ｃとはそれぞれプロテクタ１を掴んだ状態であり、移行チャック４ｃはエアシリンダ４ｂにより最も上方に位置している。そして、プロテクタ１をその長手方向に移行させる際には先ず係止チャック４ａのみを開放した後に、移行チャック４ｃがプロテクタ１を掴んだままの状態でエアシリンダ４ｂの作動によりエアシリンダ４ｂのストロークの長さ分だけ下方に移動してプロテクタ１をその長手方向にエアシリンダ４ｂのロットのストロークの長さの分だけ移行させる。しかる後、係止チャック４ａをプロテクタ１を開放した状態から掴んだ状態へ移行させると共に、移行チャック４ｃをプロテクタ１を掴んだ状態から開放した状態へ移行させ、移行チャック４ｃをエアシリンダ４ｂの作動によりエアシリンダ４ｂのストロークの長さ分だけ上方に移動させて元の上方の位置に戻した後に、移行チャック４ｃをプロテクタ１を開放した状態から掴んだ状態へ移行させて初期のプロテクタ１が移行されない状態に戻す。そして、この一連の操作を繰り返すことにより一定ピッチでプロテクタ１を長手方向へ移行させることができるのである。
【００２９】
そして、このような態様のプロテクタ移行手段４に更に図１に示す如く移行されたプロテクタ１を回収するプロテクタ回収手段４ｄが設けられている態様の場合には、このプロテクタ回収手段４ｄは移行されてくるプロテクタ１を筒状の中芯等に巻き取るようにこの筒状の中芯等を回転させるモータ等を備えており、このモータ等はプロテクタ移行手段４と連繋して回転せしめられることが好ましい。
【００３０】
更に、プロテクタ移行手段４がプロテクタ１を巻き取るプロテクタ巻取り手段を備えている態様の場合には、このプロテクタ移行手段４はプロテクタ１を巻き取る筒状の中芯等を回転させるモータ等とで構成されており、そしてこのような構成のプロテクタ移行手段４の場合はプロテクタ移行手段の部品点数を減らして簡単な構造とすることができると共に使用済みのプロテクタ１をコイル状に巻回された状態で回収することできるので好ましいのである。なお、このプロテクタ移行手段４の場合に、プロテクタ１を巻き取る筒状の中芯等を回転させるモータ等は間欠駆動されるものであっても、連続駆動されるものであってもよい。
【００３１】
５は金属製表面材８を挟んで幅方向に対峙する位置にそれぞれ一対設けられているプロテクタ送り装置であって、前記したようなプロテクタ供給手段２、プロテクタ案内手段３及びプロテクタ移行手段４等で構成されている。そして、このプロテクタ送り装置５が、図１及び図３に示す如く金属製表面材８の送り方向へ移動自在になるように金属製表面材８の送り方向と平行に設置されたレール５ａ上に設けられている態様の場合には、このプロテクタ送り装置５をレール５ａ上で移動させるという簡単な操作でプロテクタ１を金属製表面材８の樋状部８ａ内へノズル７より吐出された発泡性合成樹脂液７ａが金属製表面材８の樋状部８ａ外へ最も飛散する位置に位置させることができるので好ましいのである。
【００３２】
６はプロテクタ案内手段３の途中に設けられているドクターナイフであって、プロテクタ１に受け止められた発泡性合成樹脂液７ａを剥ぎ落とす役割を果たすものである。このドクターナイフ６が設けられている態様の場合には、プロテクタ１に付着した発泡性合成樹脂液７ａが剥がれ易いようにしておく必要があるので、この態様の場合に用いられるプロテクタ１はポリオレフィン樹脂フィルムより成るものであるか、又は少なくとも飛散する発泡性合成樹脂液７ａを受け止める側の面に剥離剤が塗布されているものであることが好ましい。
【００３３】
このドクターナイフ６は、図１に示す如くプロテクタ１を破断させず且つ付着した発泡性合成樹脂液７ａを効果的に剥ぎ落とすことができるような角度でプロテクタ１に押し当てられるように固定されていればよいが、図示しないがこのドクターナイフ６にはプロテクタ１に対する押圧力を調整するための機構が付加されていると様々な材質や厚さのプロテクタ１に対応させることができて好ましく、更に図１に示す如くこのドクターナイフ６の下方に剥ぎ落とされた発泡性合成樹脂液７ａを回収する回収ボックス６ａを設置しておけば、剥ぎ落とされた発泡性合成樹脂液７ａを簡単に回収することができるので好ましい。
【００３４】
次に、このような構造の本発明に係る飛散樹脂除去装置の動作について説明する。
初めに、本発明装置にプロテクタ１を装着してプロテクタ１をその長手方向に移行させる準備として、先ずコイル状を成すプロテクタ１をプロテクタ装着手段２に装着した後に、プロテクタ装着手段２に装着されたプロテクタ１を手等により巻き出して、その巻き出されたプロテクタ１をプロテクタ案内手段３に導入させ、しかる後にプロテクタ案内手段３を通過したプロテクタ１をプロテクタ移行手段４に導入する。
【００３５】
この際、プロテクタ移行手段４がプロテクタ１を巻き取るプロテクタ巻取り手段から成る場合には、プロテクタ１をプロテクタ１を巻き取る筒状の中芯等に少し巻回させたり、プロテクタ１の幅方向の端縁をこの筒状の中芯等に粘着テープ等で固定させたりすることによってプロテクタ１をその長手方向に移行させることができるようにする。
【００３６】
また、図１，図２及び図３に示す如くプロテクタ移行手段４がプロテクタ１の長手方向への移行を止める係止チャック４ａと、エアシリンダ４ｂによって駆動されプロテクタ１を長手方向へ移行させる移行チャック４ｃと、これら係止チャック４ａとエアシリンダ４ｂと移行チャック４ｃとを制御する制御手段とから成る場合には、先ず事前準備として移行チャック４ｃが装着されているエアシリンダ４ｂを駆動して移行チャック４ｃが最も上方に位置するようにした後に、この移行チャック４ｃ及び係止チャック４ａをそれぞれ開放した状態にさせてプロテクタ１をそれぞれのチャックを通過させた後にそれぞれのチャック４ｃ及び４ａをプロテクタ１を掴む状態へ移行させる。
【００３７】
そして、この態様のプロテクタ移行手段４に更に図１に示す如く移行されたプロテクタ１を回収するプロテクタ回収手段４ｄが設けられている態様の場合には、プロテクタ移行手段４に導入したプロテクタ１をプロテクタ１を回収する筒状の中芯等に少し巻回させたり、プロテクタ１の幅方向の端縁をこの筒状の中芯等に粘着テープ等で固定させたりすることによってプロテクタ１をその長手方向に移行させることができるようにする。
【００３８】
次に、プロテクタ送り装置５が金属製表面材８の送り方向へ移動自在になるように金属製表面材８の送り方向と平行に設置されたレール５ａ上に設けられている態様の場合には、金属製表面材８の樋状部８ａ内へノズル７より吐出された発泡性合成樹脂液７ａが金属製表面材８の樋状部８ａ外へ最も飛散する位置にプロテクタ１を位置させるようにプロテクタ送り装置５をレール５ａ上で移動させる。
【００３９】
かくして準備が完了すると、断面略樋状に形成され樋状部８ａの開口部を上方にして連続的に送り出されてくる金属製表面材８の樋状部８ａ内へノズル７より発泡性合成樹脂液７ａを吐出させると共にプロテクタ送り装置５のプロテクタ移行手段４を動作させてプロテクタ１を長手方向に連続的に又は間欠的に移行させる。この際に、金属製表面材８の樋状部８ａ外へ発泡性合成樹脂液７ａが飛散するが、プロテクタ装着手段２に装着されたプロテクタ１はその幅方向が金属製表面材８の送り方向と略平行になるように且つ金属製表面材８の側方から樋状部８ａの開口部の側部上方近傍を通過させるようにプロテクタ案内手段３に案内せしめられているので、ノズル７より吐出されて金属製表面材８の樋状部８ａ外へ飛散した発泡性合成樹脂液７ａはこのプロテクタ１に受け止められてノズル７近傍の装置や金属製表面材８の係合部等に付着することがなくなるのである。そして、飛散した発泡性合成樹脂液７ａを受け止めたプロテクタ１は、プロテクタ案内手段３により案内せしめられてプロテクタ移行手段４により次々と長手方向に移行していくので、発泡性合成樹脂液７ａが飛散してくる部位には発泡性合成樹脂液７ａが受け止められていないプロテクタ１を常に移行させることによって、プロテクタ１の表面が付着した発泡性合成樹脂で厚く覆われてしまうことがないのである。
【００４０】
そして、プロテクタ案内手段３の途中にプロテクタ１に受け止められた発泡性合成樹脂液７ａをプロテクタ１から剥ぎ落とすためのドクターナイフ６が設けられている態様の場合には、プロテクタ案内手段３の途中でプロテクタ１の発泡性合成樹脂液７ａを受け止めた側の面に押し当てられているドクターナイフ６によってプロテクタ１に受け止められた発泡性合成樹脂液７ａは剥ぎ落とされるので、プロテクタ１と発泡性合成樹脂液７ａとをそれぞれ別々に回収して除去することができるのである。
【００４１】
かくしてプロテクタ装着手段２に装着されているコイル状を成すプロテクタ１が総てプロテクタ装着手段２から移行されたら、発泡性合成樹脂液７ａを受け止めていない新たなコイル状を成すプロテクタ１をプロテクタ装着手段２に装着するか、又はドクターナイフ６が設けられている態様の場合にはドクターナイフ６で受け止められた発泡性合成樹脂液７ａが剥ぎ落とされたプロテクタ１を再びプロテクタ装着手段２に装着すればよいのである。
【００４２】
なお、プロテクタ移行手段４がプロテクタ１を巻き取るプロテクタ巻取り手段から成っているか、又はプロテクタ移行手段４に更に移行されたプロテクタを回収するプロテクタ回収手段４ｄが設けられている態様の場合には、総て移行し終えたプロテクタ１はプロテクタ巻取り手段又はプロテクタ回収手段４ｄにコイル状に巻回されている状態となるので、そのコイル状の使用済みのプロテクタ１は取り外すだけで簡単に回収することができるのである。
【００４３】
そして、このような態様の場合にプロテクタ案内手段３の途中に更にドクターナイフ６が装着されている場合には、プロテクタ１と発泡性合成樹脂液７ａとを別々に回収できると共に、使用済みのプロテクタ１は発泡性合成樹脂７ａが剥ぎ落とされた状態でコイル状に巻回されて回収されるのでそのままの状態で再使用できて好ましいのである。
【００４４】
【発明の効果】
以上に詳述した如く、本発明に係る飛散樹脂除去装置は、断面略樋状に形成され樋状部の開口部を上方にして連続的に送り出されてくる金属製表面材の樋状部内へノズルより発泡性合成樹脂液を吐出させる際に金属製表面材の樋状部外へ飛散してくる発泡性合成樹脂液を受け止める素材を可撓性を有する帯状のシートから成るプロテクタに代え、この可撓性を有する帯状のシートをコイル状にしたプロテクタをその幅方向が金属製表面材の送り方向と略平行になるように且つ金属製表面材の側方から樋状部の開口部の側部上方近傍を通過させるように案内せしめると共にこのプロテクタをその長手方向に順次移行させる構造であるので、金属製表面材の樋状部外に飛散する発泡性合成樹脂液は金属製表面材の側方から樋状部の開口部の側部上方近傍を通過するプロテクタに殆ど受け止られることによって、ノズル近傍の装置や金属製表面材の係合部等に発泡性合成樹脂液が付着するのを完全に防止でき、またこのプロテクタはその長手方向に順次移行していくので、発泡性合成樹脂液が飛散してくる部位には発泡性合成樹脂液が受け止められていないプロテクタが常に移行してくるため、プロテクタの表面が付着した合成樹脂で厚く覆われててしまうことがないと共に人手に頼ることなく自動的に飛散した発泡性合成樹脂液を除去することができるのである。
【００４５】
そして、このような飛散樹脂除去装置において、プロテクタ装着手段にプロテクタの巻き出しを制御するブレーキ手段が設けられていれば、プロテクタを撓ますことなく長手方向へ移行させることができ、プロテクタ移行手段がプロテクタを巻き取るプロテクタ巻取り手段を備えていればプロテクタを移行させると共にコイル状に巻回された状態で回収することでき、またプロテクタ移行手段がプロテクタの長手方向への移行を止める係止チャックとエアシリンダによって駆動されプロテクタを長手方向へ移行させる移行チャックとこれら係止チャックとエアシリンダと移行チャックとを制御する制御手段とから成るプロテクタ移行手段であれば、一定ピッチでプロテクタを長手方向へ移行させることができ、更にこのようなプロテクタ移行手段に移行されたプロテクタを回収するプロテクタ回収手段が設けられていれば、移行されたプロテクタをコイル状に巻回された状態で回収することができるのである。
【００４６】
また、プロテクタ案内手段における金属製表面材の側方から樋状部の開口部の側部上方近傍を通過させるようにプロテクタを案内せしめるディフレクタロールが交換可能な一対の先端ブロック間に装着されている態様であれば、この先端ブロックを交換するだけで簡単に様々な幅や樋状部の厚さや係合部の形状の金属製表面材に対応させることができ、特にこの両先端ブロックにディフレクタロールの装着高さを調整するための長孔が穿設されていれば、樋状部の厚さが異なる金属製表面材に簡単に対応させることができ、またプロテクタ案内手段における金属製表面材の側方から樋状部の開口部の側部上方近傍を通過させるようにプロテクタを案内せしめるディフレクタロールがプロテクタを先端ブロックの下端よりも下方に案内せしめるように下方にプロテクタの幅よりも長い幅の段部が形成されているディフレクタロールであれば、発泡性合成樹脂液が最も飛散してくる場所である金属製表面材の樋状部近傍へ先端ブロックを接近させることなくプロテクタを接近させることができるので、先端ブロックやディフレクタロール等に発泡性合成樹脂液が付着することによるトラブルを最小限にすることができ、更にプロテクタ送り装置が金属製表面材の送り方向へ移動自在になるように金属製表面材の送り方向と平行に設置されたレール上に設けられていれば、発泡性合成樹脂液が最も飛散してくる場所にプロテクタを配置することができるのである。
【００４７】
更に、プロテクタがポリオレフィン樹脂フィルムより成るものであったり少なくとも飛散する発泡性合成樹脂液を受け止める側の面に剥離剤が塗布されているものであれば、受け止められた発泡性合成樹脂液をプロテクタから容易に離脱させることができるので、受け止められた発泡性合成樹脂液と使用済みのプロテクタとをそれぞれ別々に再利用・再資源化したり、産業廃棄物として処理したりする際には容易に分別して回収することができ、この場合プロテクタ案内手段の途中にプロテクタに受け止められた発泡性合成樹脂液を剥ぎ落とすためのドクターナイフが設けられていれば、人手に頼らず自動的に受け止められた発泡性合成樹脂液と使用済みのプロテクタとを分別して回収することができるのである。
【００４８】
このような種々の効果を奏する本発明に係る飛散樹脂除去装置が建築材料製造の分野に貢献する価値は非常に大きなものである。
【図面の簡単な説明】
【図１】本発明に係る飛散樹脂除去装置の１の実施例の正断面説明図である。
【図２】図１のＡ−Ａ線断面説明図である。
【図３】図１の平面説明図である。
【図４】本発明に係る飛散樹脂除去装置におけるプロテクタ案内手段における金属製表面材の側方から樋状部の開口部の側部上方近傍を通過させるようにプロテクタを案内せしめるディフレクタロールの他の実施例を示す説明図である。
【符号の説明】
１　プロテクタ
２　プロテクタ装着手段
３　プロテクタ案内手段
３ａ　ディフレクタロール
３ｂ　先端ブロック
４　プロテクタ移行手段
４ａ　係止チャック
４ｂ　エアシリンダ
４ｃ　移行チャック
４ｄ　プロテクタ回収手段
５　プロテクタ送り装置
５ａ　レール
６　ドクターナイフ
６ａ　回収ボックス
７　ノズル
７ａ　発泡性合成樹脂液
８　金属製表面材
８ａ　樋状部
【図１】
2004066480.tif 000003
【図２】
2004066480.tif 000004
【図３】
2004066480.tif 000005
【図４】
2004066480.tif 000006